【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
シリアル相互接続システムに係る方法であって、前記シリアル相互接続システムは、第１のノードと、第２のノードと、当該シリアル相互接続システムによって直列に電気的に接続された一組の較正ノードを含む複数の内部ノードと、前記直列に接続された一組の較正ノードに対応するとともに、当該シリアル相互接続システムによって直列に電気的に接続された一組の接続ノードと、を有しており、当該方法は、
前記一組の較正ノードのうちのそれぞれの較正ノードについて、
対応する基準信号を前記較正ノードに注入することと、
前記対応する基準信号がその較正ノードに注入されている間に、前記第１のノードおよび前記第２のノードで現われる信号から一以上のシステムパラメータを決定すること、ここで前記一以上のシステムパラメータのそれぞれは、前記第１のノードおよび前記第２のノードの両方で現われる信号の関数である、
を含む測定手順を実行するステップと、
前記一組の較正ノードについて決定された前記一以上のシステムパラメータから、前記一組の較正ノードのそれぞれの較正ノードについて補正を計算するステップと、
前記一組の較正ノードのそれぞれの較正ノードについて計算された前記補正を、前記一組の接続ノードに関連する信号に適用するステップと、
を含む、方法。
【請求項２】
前記一組の較正ノードのそれぞれの較正ノードについて、当該較正ノードに対して決定される一以上のシステムパラメーターの一つは、前記対応する基準信号が前記較正ノードに注入されている間に前記第１のノードおよび前記第２のノードに現れる前記信号の位相の関数であり、
前記一組の較正ノードのそれぞれの較正ノードに対して計算される前記補正は、位相補正である、請求項１に記載の方法。
【請求項３】
前記一組の較正ノードのそれぞれの較正ノードについて、当該較正ノードに対して決定される前記一以上のシステムパラメーターのうちの一つは、前記対応する基準信号が当該較正ノードに注入されている間に前記第１のノードおよび前記第２のノードに現れる前記信号の大きさの関数であり、
前記一組の較正ノードのそれぞれの較正ノードについて計算される前記補正は、大きさの補正である、請求項１に記載の方法。
【請求項４】
前記一組の較正ノードのそれぞれの較正ノードについて、
当該較正ノードに対して決定される前記一以上のシステムパラメータのうちの一つは、前記対応する基準信号が当該較正ノードに注入されている間に前記第１のノードおよび前記第２のノードに現れる前記信号の大きさの関数であり、
前記一組の較正ノードのそれぞれの較正ノードに対して計算される前記補正は、さらに位相補正を含む、請求項２に記載の方法。
【請求項５】
第１の基準信号を前記第１のノードに注入するステップと、
前記第１の基準信号が前記第１のノードに注入されている間に、前記第１のノードおよび前記第２のノードに現れる信号から他の１以上のシステムパラメータを決定するステップであり、ここで前記他の１以上のシステムパラメータのそれぞれは、前記第１のノードおよび前記第２のノードの両方に現れる信号の関数であるステップと、
をさらに含み、
前記一組の較正ノードのそれぞれの較正ノードについて補正を計算するステップは、前記一組の較正ノードのそれぞれの較正ノードについて補正を計算することは、前記第１のノードの前記別の１以上のシステムパラメータも用いる、請求項１に記載の方法。
【請求項６】
シリアル相互接続システムを含む方法であって、当該シリアル相互接続システムは、第１のノード、第２のノード、当該シリアル相互接続システムによって電気的に直列に接続された一組の較正ノードを含む複数の内部ノード、および、前記一組の直列に接続された較正ノードに対応し前記直列相互接続システムにより電気的に直列に接続されている一組の接続ノード、を有しており、
当該方法は、以下の工程：
前記一組の較正ノードのそれぞれの較正ノードについて、以下の工程：
対応する基準信号を当該校正ノードに注入すること；および、
前記対応する基準信号が当該較正ノードに注入されている間に、前記第１のノードおよび前記第２のノードに現れる信号から１以上のシステムパラメータを決定すること、ここで、前記１以上のシステムパラメータは、前記第１のノードおよび前記第２のノードの両方に現れる前記信号の関数である；
を含む測定手順を施すこと、
前記一組の較正ノードに対して決定された前記１以上のシステムパラメータから、前記一組の較正ノードのそれぞれの較正ノードに対する補正を計算すること；および
前記一組の較正ノードのそれぞれの較正ノードに対して計算された前記補正を、前記一組の接続ノードに関連する信号に適用すること；
を含み、
前記シリアル相互接続システムは、前記第１のノード、前記一組の接続ノード、および前記第２のノードを直列に相互接続する第１のシリアル相互接続を備え、
前記複数の内部ノードのうちのそれぞれの内部ノードは、前記一組の較正ノードのうちの較正ノードと前記一組の接続ノードのうちの接続ノードの両方である方法。
【請求項７】
前記シリアル相互接続システムは、
前記第１のノード、前記一組の接続ノード、および前記第２のノードを直列に相互接続する部分を有する第１のシリアル相互接続と、
前記一組の接続ノードを直列に相互接続する部分を有する第２のシリアル相互接続と、
を含み、
前記第１のシリアル相互接続と前記第２のシリアル相互接続は別個のものである、請求項１に記載の方法。
【請求項８】
前記一組の較正ノードを直列に相互接続する前記第１のシリアル相互接続の前記部分と、前記第一の接続ノードを直列に相互接続する前記第２のシリアル相互接続の前記部分とは、電気的に整合されている、請求項７に記載の方法。
【請求項９】
前記シリアル相互接続システムは、
前記第２のノードと前記一組の較正ノードを直列に相互接続する部分を有する第１のシリアル相互接続と、
前記第１のノードと前記一組の構成ノードを直列に相互接続する部分を有する第２のシリアル相互接続と、
前記一組の接続ノードを直列に相互接続する部分を有する第３のシリアル相互接続と、を含む、請求項１に記載の方法。
【請求項１０】
前記一組の較正ノードを直列に相互接続する前記第１の直列相互接続の前記部分、
前記一組の較正ノードを直列に相互接続する前記第２の直列相互接続の前記部分、および、
前記一組の接続ノードを直列に相互接続する前記第３の直列相互接続の前記部分と、は電気的に整合されている、請求項９に記載の方法。
【請求項１１】
シリアル相互接続システムであって、
第１のノード、
第２のノード、
当該シリアル相互接続システムによって電気的に直列に接続された一組の較正ノードを含む複数の内部ノード、および、
当該シリアル相互接続システムによって電気的に直列に接続され、前記一組の直列接続された較正ノードに対応する一組の接続ノード、
を含むシリアル相互接続システム；
前記直列相互接続システムの前記第１のノードおよび第２のノードに電気的に接続され、前記第１のノードおよび第２のノードに現れる信号から１以上のシステムパラメータを決定するための検出器システムであって、前記１以上のシステムパラメータのそれぞれは、前記第１のノードおよび前記第２のノードに現れる両方の前記信号の関数である、検出器システム；
複数の切り替え可能に制御される信号源であって、それぞれの切り替え可能に制御される信号源は、前記一組の較正ノードの異なる対応する一つに接続される、信号源；および、
以下の機能：
前記一組の較正ノードのそれぞれに対し、以下：
当該較正ノードに対する前記切り替え可能に制御された信号源に、当該較正ノードに対応する基準信号を注入させること；および
前記対応する基準信号が当該較正ノードに注入されている間、前記検出器システムに、前記第１のノードおよび前記第２のノードに現れる前記信号から、前記１以上のシステムパラメータを決定させること；
を含む測定手順を実行すること、
前記一組の較正ノードに対して決定された前記１以上のシステムパラメータから、前記一組の較正ノードのそれぞれの補正を計算すること；および、
前記一組の較正ノードのそれぞれに対し計算された補正を前記一組の接続ノードに関連付けられた信号に適用すること；
を実行するようにプログラムされた制御システム；
を備える、装置。
【請求項１２】
前記一組の較正ノードのそれぞれの較正ノードについて、当該較正ノードに対して決定された前記１以上のシステムパラメーターの一つは、前記対応する基準信号が当該較正ノードに注入されている間に前記第１のノードおよび前記第２ノードに現れる前記信号の位相の関数であり、
前記一組の較正ノードのそれぞれの較正ノードに対して計算される補正は、位相補正である、請求項１１に記載の装置。
【請求項１３】
前記一組の較正ノードのそれぞれの較正ノードについて、当該較正ノードに対して決定された前記１以上のシステムパラメーターの一つは、前記対応する基準信号が当該較正ノードに注入されている間に前記第１のノードおよび前記第２ノードに現れる前記信号の大きさの関数であり、
前記一組の較正ノードのそれぞれの較正ノードに対して計算される補正は、大きさの補正である、請求項１１に記載の装置。
【請求項１４】
前記一組の較正ノードのそれぞれの較正ノードについて、当該較正ノードについて決定された前記１以上のシステムパラメータのうちの一つは、前記対応する基準信号が当該較正ノードに注入されている間に、前記第１のノードおよび前記第２のノードに現れる前記信号の大きさの関数であり、
前記一組の較正ノードのそれぞれの較正ノードに対して計算される補正は、大きさの補正をさらに含む、請求項１２に記載の装置。
【請求項１５】
前記第１のノードに接続され、切り替え可能に制御された第１の信号源；をさらに備え、
前記制御システムは、さらに次の機能：
前記切り替え可能に制御された第１の信号源に、第１の基準信号を前記第１のノードに注入させること；
前記基準信号が前記第１のノードに注入されている間、前記検出器システムに、前記第１のノードおよび前記第２のノードに現れる信号から、他の１以上のシステムパラメータを決定させること；
を実行するようにプログラムされており、
ここで、前記一組の較正ノードのそれぞれの較正ノードに対する補正を計算することは、前記第１のノードに対する前記１以上のシステムパラメータも使用する、請求項１１に記載の装置。
【請求項１６】
シリアル相互接続システムであって、
第１のノード、
第２のノード、
当該シリアル相互接続システムによって電気的に直列に接続された一組の較正ノードを含む複数の内部ノード、および、
当該シリアル相互接続システムによって電気的に直列に接続され、前記一組の直列接続された較正ノードに対応する一組の接続ノード、
を含むシリアル相互接続システム；
前記直列相互接続システムの前記第１のノードおよび第２のノードに電気的に接続され、前記第１のノードおよび第２のノードに現れる信号から１以上のシステムパラメータを決定するための検出器システムであって、前記１以上のシステムパラメータのそれぞれは、前記第１のノードおよび前記第２のノードに現れる両方の前記信号の関数である、検出器システム；
複数の切り替え可能に制御される信号源であって、それぞれの切り替え可能に制御される信号源は、前記一組の較正ノードに対応する異なる一つに接続される、信号源；および、
以下の機能：
前記一組の較正ノードのそれぞれに対し、以下：
当該較正ノードに対する前記切り替え可能に制御された信号源に、当該較正ノードに対応する基準信号を注入させること；および
前記対応する基準信号が当該較正ノードに注入されている間、前記検出器システムに、前記第１のノードおよび前記第２のノードに現れる前記信号から、前記１以上のシステムパラメータを決定させること；
を含む測定手順を実行すること、
前記一組の較正ノードに対して決定された前記１以上のシステムパラメータから、前記一組の較正ノードのそれぞれの補正を計算すること；および、
前記一組の較正ノードのそれぞれに対し計算された補正を前記一組の接続ノードに関連付けられた信号に適用すること；
を実行するようにプログラムされた制御システム；
ここで、前記直列相互接続システムは、前記第１のノード、前記一組の接続ノード、および前記第２のノードを直列に相互接続する第１シリアル相互接続を備え、
前記複数の内部ノードのうちのそれぞれの内部ノードは、前記一組の較正ノードのうちの較正ノード、および、前記一組の接続ノードのうちの接続ノード、の両方を備える、装置。
【請求項１７】
前記シリアル相互接続システムは、
その一部が、前記第１のノード、前記一組の接続ノード、および前記第２のノードを直列に相互接続する部分を有する第１のシリアル相互接続と、
その一部が、前記一組の接続ノードを直列に相互接続する部分を有する第２のシリアル相互接続と、
を含み、
前記第１のシリアル相互接続と前記第２のシリアル相互接続は別個のものである、請求項１１に記載の装置。
【請求項１８】
前記一組の較正ノードを直列に相互接続する前記第１のシリアル相互接続の前記部分と、前記一組の接続ノードを直列に相互接続する前記第２のシリアル相互接続の前記部分とは、電気的に整合されている、請求項１７に記載の装置。
【請求項１９】
前記シリアル相互接続システムは、
前記第２ノードと前記一組の較正ノードとを直列に相互接続する前記部分を有する第１のシリアル相互接続と、
前記第２ノードと前記一組の較正ノードとを直列に相互接続する前記部分を有する第２シリアル相互接続と、
前記一組の接続ノードを直列に相互接続する前記部分を有する第３のシリアル相互接続と、を含む、請求項１１に記載の装置。
【請求項２０】
前記一組の較正ノードを直列に相互接続する前記第１のシリアル相互接続の前記部分、前記一組の較正ノードを直列に相互接続する第２のシリアル相互接続の前記部分、および前記一組の接続ノードを直列に相互接続する前記第３のシリアル相互接続の前記部分は、電気的に整合している、請求項１９に記載の装置。